(57)【要約】【課題】表示装置の消費電力を低減することが可能であり、且つ、表示を書き換える際の処理時間が短く応答性が良い表示装置を提供することである。【解決手段】操作キー４〜操作キー８のいずれかの操作に対応する表示情報が、関連表示情報記憶領域１４１から読み出される。各操作キーに対応する関連表示情報記憶領域のいずれかから、操作された操作キーに対応する記憶領域が決定される。決定された記憶領域から、関連表示情報が読み出される。読み出された関連表示情報は、ＲＡＭ１５の表示情報一時記憶領域１５１に一時記憶される。ＲＡＭ１５に一時記憶された関連表示情報を表示する指令が、電気泳動表示部３へ供給される。【選択図】図６
2010231039.tif 000002
【特許請求の範囲】
【請求項１】
表示情報に従って駆動電圧が供給された時に表示を書き換え、駆動電圧の供給が停止された時に表示を維持する不揮発性表示部を有する表示装置であって、
前記不揮発性表示部に所定の表示をさせる表示情報を記憶する不揮発性の表示情報記憶部から前記表示情報を取得する表示情報取得部と、
前記表示情報取得部により取得された前記表示情報を、前記不揮発性表示部に表示するために一時記憶する揮発性の一時記憶部と、
前記不揮発性表示部に表示される表示情報に関連する関連表示情報を記憶する不揮発性の関連表示情報記憶部と、
少なくとも前記不揮発性表示部と前記一時記憶部と前記関連表示情報記憶部とへ駆動電圧を供給して前記不揮発性表示部の表示情報を書き換える駆動モードと、少なくとも前記不揮発性表示部と前記一時記憶部と前記関連表示情報記憶部とへの駆動電圧の供給を停止して表示情報を維持する停止モードとの間で動作モードを切り替えるモード切替部と、
前記表示装置の各種動作を指示するために操作可能な操作部と、
前記不揮発性表示部の表示を書き換えるために前記操作部が操作されて、前記モード切替部が前記停止モードから前記駆動モードへ切り替えるとき、前記操作に対応する前記関連表示情報を前記関連情報記憶部から読み出して前記一時記憶部に一時記憶させる記憶制御部と、
前記操作に従って、前記記憶制御部により前記一時記憶部に記憶された前記関連表示情報を前記不揮発性表示部に表示をさせる表示指令を不揮発性表示部へ供給するする表示指令供給部と、
を備えることを特徴とする表示装置。
【請求項２】
前記表示指令供給部が前記表示指令を前記不揮発性表示部へ供給したとき、前記表示情報取得部は前記情報記憶部から前記不揮発性表示部に表示される表示情報の前記関連表示情報を取得し、
前記関連表示情報記憶部は、前記表情報取得部に取得された前記関連表示情報を記憶することを特徴とする請求項１に記載の表示装置。
【請求項３】
前記記憶制御部は、
前記不揮発性表示部の表示を書き換えるために前記操作部が操作されたとき、前記関連表示情報記憶部に前記関連表示情報が記憶されているか否かを判定する関連判定部を備え、
前記関連判定部により前記関連表示情報記憶部に前記関連表示情報が記憶されていると判定したとき、前記記憶制御部は、前記関連表示情報記憶部に記憶された関連表示情報を前記一時記憶部に記憶し、前記関連判定部により前記関連表示情報記憶部に前記関連表示情報が記憶されていないと判定された場合、前記記憶制御部は、少なくとも前記操作に対応する表示情報を前記表示情報取得部により取得し、前記一時記憶部に記憶することを特徴とする請求項１または請求項２に記載の表示装置。
【請求項４】
前記操作部は、各種動作と対応付けられた表示情報を前記不揮発性表示部に表示する指示を行い、
前記関連表示情報記憶部は、前記関連表示情報として、前記各種動作と対応付けられた表示情報を記憶し、
前記記憶制御部は、前記各種動作と対応付けられた表示情報を前記関連表示情報として前記関連情報記憶部から読み出して前記一時記憶部に一時記憶させることを特徴とする請求項１から請求項３のいずれかに記載の表示装置。
【請求項５】
前記表示情報取得部は、複数のページから構成される前記表示情報を記憶する前記表示情報記憶部から前記表示情報を取得し、
前記操作部は、前記各種動作として、前記不揮発性表示部に表示される表示情報の前後のページを表示させる動作と対応付けられた表示情報を表示する指示を行い、
前記関連表示情報記憶部は、前記関連表示情報として、前記不揮発性表示部に表示される表示情報の前後のページを表示する表示情報を記憶し、
前記記憶制御部は、前記前後の１ページを表示する表示情報を前記関連表示情報として前記関連情報記憶部から読み出して前記一時記憶部に一時記憶させることを特徴とする請求項４に記載の表示装置。
【請求項６】
前記操作部は、前記不揮発性表示部に表示された複数の選択情報の中から所定の選択情報を選択する動作を指示し、
前記関連表示情報記憶部は、前記関連表示情報として、前記不揮発性表示部に表示される選択情報に対応する表示情報を記憶し、
前記記憶制御部は、前記選択情報に対応する表示情報を前記関連表示情報として前記関連情報記憶部から読み出して前記一時記憶部に一時記憶させることを特徴とする請求項１から請求項３のいずれかに記載する表示装置。
【請求項７】
前記表示情報取得部は、複数のページから構成される前記表示情報を、複数のファイルとして記憶する前記表示情報記憶部から前記表示情報を取得し、
前記操作部は、前記各種動作として、前記不揮発性表示部に表示された複数のファイルの中から所定のファイルを選択する動作と対応付けられた表示情報を表示する指示を行い、
前記関連表示情報記憶部は、前記関連表示情報として、前記複数のファイルそれぞれを構成する１ページ目を記憶し、
前記記憶制御部は、前記１ページ目に対応する表示情報を前記関連表示情報として前記関連情報記憶部から読み出して前記一時記憶部に一時記憶させることを特徴とする請求項６に記載の表示装置。
【請求項８】
前記関連表示情報記憶部は、前記表示情報記憶部より高速動作可能なフラッシュメモリーであることを特徴とする請求項１から請求項７のいずれかに記載の表示装置。
【請求項９】
表示情報に従って駆動電圧が供給された時に表示を書き換え、駆動電圧の供給が停止された時に表示を維持する不揮発性表示部を有する表示装置の表示方法であって、
前記不揮発性表示部に所定の表示をさせる表示情報を記憶する不揮発性の表示情報記憶部から取得された前記表示情報を、前記不揮発性表示部に表示するために揮発性の一時記憶部に一時記憶させる一時記憶ステップと、
前記不揮発性表示部に表示される表示情報に関連する関連表示情報を不揮発性の関連表示情報記憶部に記憶させる関連表示情報記憶ステップと、
少なくとも前記不揮発性表示部と前記一時記憶部と前記関連表示情報記憶部とへ駆動電圧を供給して前記不揮発性表示部の表示情報を書き換える駆動モードと、少なくとも前記不揮発性表示部と前記一時記憶部と前記関連表示情報記憶部とへの駆動電圧の供給を停止して表示情報を維持する停止モードとの間で動作モードを切り替えるモード切替ステップと、
前記表示装置の各種動作を指示するために操作可能な操作ステップと、
前記不揮発性表示部の表示を書き換えるために前記操作ステップにより操作されて、前記モード切替ステップにより前記停止モードから前記駆動モードへ切り替えられるとき、前記操作に対応する前記関連表示情報を前記関連表示情報記憶部から読み出して前記一時記憶部に一時記憶させる記憶制御ステップと、
前記操作に従って、前記記憶制御ステップにより前記一時記憶部に記憶された前記関連情報を前記不揮発性表示部に表示をさせる表示指令を前記不揮発性表示部に供給する表示指令供給ステップと、
を備えることを特徴とする表示方法。
【請求項１０】
前記表示指令供給ステップにより前記表示指令が前記不揮発性表示部に供給されたとき、前記表示情報取得ステップは前記情報記憶部から前記不揮発性表示部に表示される表示情報の前記関連表示情報を取得し、
前記関連表示情報記憶ステップは、前記表情報取得ステップにより取得された前記関連表示情報を記憶することを特徴とする請求項９に記載の表示方法。
【請求項１１】
表示情報に従って駆動電圧が供給された時に表示を書き換え、駆動電圧の供給が停止された時に表示を維持する不揮発性表示部を有する表示装置の表示方法であって、
前記不揮発性表示部に所定の表示をさせる表示情報を記憶する不揮発性の表示情報記憶部から取得された前記表示情報を、前記不揮発性表示部に表示するために揮発性の一時記憶部に一時記憶させる一時記憶ステップと、
前記不揮発性表示部に表示される表示情報に関連する関連表示情報を不揮発性の関連表示情報記憶部に記憶させる関連表示情報記憶ステップと、
少なくとも前記不揮発性表示部と前記一時記憶部と前記関連表示情報記憶部とへ駆動電圧を供給して前記不揮発性表示部の表示情報を書き換える駆動モードと、少なくとも前記不揮発性表示部と前記一時記憶部と前記関連表示情報記憶部とへの駆動電圧の供給を停止して表示情報を維持する停止モードとの間で動作モードを切り替えるモード切替ステップと、
前記表示装置の各種動作を指示するために操作可能な操作を検出する操作検出ステップと、
前記不揮発性表示部の表示を書き換えるための操作が前記操作検出ステップにより検出されて、前記モード切替ステップにより前記停止モードから前記駆動モードへ切り替えられるとき、前記操作に対応する前記関連表示情報を前記関連表示情報記憶部から読み出して前記一時記憶部に一時記憶させる記憶制御ステップと、
前記操作に従って、前記記憶制御ステップにより前記一時記憶部に記憶された前記関連表示情報を前記不揮発性表示部に表示をさせる表示指令を前記不揮発性表示部に供給する表示指令供給ステップと、
をコンピュータに動作させるためのプログラム。
【発明の詳細な説明】
【技術分野】
【０００１】
本発明は、不揮発性表示部を備えた表示装置に関する。詳細には、表示装置に備えられた各種ハードウェアへの電力の供給及び停止を制御することで、表示装置の消費電力を低減する表示装置及び表示方法に関する。
【背景技術】
【０００２】
特許文献１には、電力供給が停止されていても表示内容を維持し続ける不揮発性表示部を備えた表示装置が記載されている。詳細には、主要制御部への電力供給及び電力供給の停止を制御する技術が開示されている。主要制御部は、ＣＰＵと各種記憶手段と不揮発性表示部等から構成される。表示装置に備えられたキーの操作が一定時間行われなかったことに基づいて、主要制御部への電力の供給が停止される。表示装置への電力の供給が停止される省電力モードに移行することで、電力の消費が低減されている。電力の供給が停止されるとき、特許文献１に記載の表示装置は、不揮発性のメモリに不揮発性表示部に現在表示される表示情報の文書ＩＤと表示中ページ情報とを記憶する。文書ＩＤは、ＳＤカード等の記憶装置に記憶される表示ファイルの名前である。また、表示中ページ情報は、不揮発性表示部に現在表示される表示ファイルのページ数である。特許文献１に記載の表示装置において不揮発性表示部の表示を書き換えるためにキーが操作されたときに、一般的に主要制御部へ電力が再度供給される。主要制御部に電力供給された後に、不揮発性記憶部に記憶された情報に基づいて、ＳＤカードから表示情報が検索される。ＳＤカード等の記憶装置から、検索された表示情報が新たに読み出され、ＲＡＭに展開される。ＲＡＭに展開された表示情報に基づいて、画像が不揮発性表示部に表示される。
【先行技術文献】
【特許文献】
【０００３】
【特許文献１】特開２００７−１８７９２７号公報
【発明の概要】
【発明が解決しようとする課題】
【０００４】
特許文献１に記載の表示装置では、キー操作が一定時間行われなかったことに基づいて主要制御部への電力供給が停止される。表示装置が省電力モードのとき、キーが操作されると画像が新たに不揮発性表示部に表示される。画像が新たに表示される場合、主要制御部の１つの構成要素であるＨＤＤやＳＤカード等の不揮発性の記憶手段へ電力が再度供給された後に、上記記憶手段から表示情報が読み出される。省電力モードから復帰して表示情報に基づいて新たに画像が表示されるまでには、表示情報が上記記憶手段からＲＡＭに読み出される必要がある。しかし、不揮発性表示部に表示する情報をＳＤカードから検索し、ＲＡＭに読み出す処理が必要となるために、表示装置の立ち上げ時間の大半が情報の検索及びＲＡＭに読み出す時間に要し、表示装置の応答性を悪くしていた。
【０００５】
本発明は、上述した問題点を解決するためになされたものである。本発明の目的は、表示装置の消費電力を低減することが可能であり、且つ、表示を書き換える際の処理時間が短く応答性が良い表示装置を提供することである。
【課題を解決するための手段】
【０００６】
請求項１に記載の発明によれば、表示情報に従って駆動電圧が供給された時に表示を書き換え、駆動電圧の供給が停止された時に表示を維持する不揮発性表示部を有する表示装置であって、前記不揮発性表示部に所定の表示をさせる表示情報を記憶する不揮発性の表示情報記憶部から前記表示情報を取得する表示情報取得部と、前記表示情報取得部により取得された前記表示情報を、前記不揮発性表示部に表示するために一時記憶する揮発性の一時記憶部と、前記不揮発性表示部に表示される表示情報に関連する関連表示情報を記憶する不揮発性の関連表示情報記憶部と、少なくとも前記不揮発性表示部と前記一時記憶部と前記関連表示情報記憶部とへ駆動電圧を供給して前記不揮発性表示部の表示情報を書き換える駆動モードと、少なくとも前記不揮発性表示部と前記一時記憶部と前記関連表示情報記憶部とへの駆動電圧の供給を停止して表示情報を維持する停止モードとの間で動作モードを切り替えるモード切替部と、前記表示装置の各種動作を指示するために操作可能な操作部と、前記不揮発性表示部の表示を書き換えるために前記操作部が操作されて、前記モード切替部が前記停止モードから前記駆動モードへ切り替えるとき、前記操作に対応する前記関連表示情報を前記関連表示情報記憶部から読み出して前記一時記憶部に一時記憶させる記憶制御部と、前記操作に従って、前記記憶制御部により前記一時記憶部に記憶された前記関連表示情報を前記不揮発性表示部に表示をさせる表示指令を不揮発性表示部へ供給する表示指令供給部と、を備えることを特徴とする表示装置である。
【０００７】
請求項２に記載の発明によれば、前記表示指令供給部が前記表示指令を前記不揮発性表示部へ供給したとき、前記表示情報取得部は前記情報記憶部から前記不揮発性表示部に表示される表示情報の前記関連表示情報を取得し、前記関連表示情報記憶部は、前記表情報取得部に取得された前記関連表示情報を記憶することを特徴とする。
【０００８】
請求項３に記載の発明によれば、前記記憶制御部は、前記不揮発性表示部の表示を書き換えるために前記操作部が操作されたとき、前記関連表示情報記憶部に前記関連表示情報が記憶されているか否かを判定する関連判定部を備え、前記関連判定部により前記関連表示情報記憶部に前記関連表示情報が記憶されていると判定したとき、前記記憶制御部は、前記関連表示情報記憶部に記憶された関連表示情報を前記一時記憶部に記憶し、前記関連判定部により前記関連表示情報記憶部に前記関連表示情報が記憶されていないと判定された場合、前記記憶制御部は、少なくとも前記操作に対応する表示情報を前記表示情報取得部により取得し、前記一時記憶部に記憶することを特徴とする。
【０００９】
請求項４に記載の発明によれば、前記操作部は、各種動作と対応付けられた表示情報を前記不揮発性表示部に表示する指示を行い、前記関連表示情報記憶部は、前記関連表示情報として、前記各種動作と対応付けられた表示情報を記憶し、前記記憶制御部は、前記各種動作と対応付けられた表示情報を前記関連表示情報として前記関連表示情報記憶部から読み出して前記一時記憶部に一時記憶させることを特徴とする。
【００１０】
請求項５に記載の発明によれば、  前記表示情報取得部は、複数のページから構成される前記表示情報を記憶する前記表示情報記憶部から前記表示情報を取得し、前記操作部は、前記各種動作として、前記不揮発性表示部に表示される表示情報の前後のページを表示させる動作と対応付けられた表示情報を表示する指示を行い、前記関連表示情報記憶部は、前記関連表示情報として、前記不揮発性表示部に表示される表示情報の前後のページを表示する表示情報を記憶し、前記記憶制御部は、前記前後のーページを表示する表示情報を前記関連表示情報として前記関連表示情報記憶部から読み出して前記一時記憶部に一時記憶させることを特徴とする。
【００１１】
請求項６に記載の発明によれば、前記操作部は、前記不揮発性表示部に表示された複数の選択情報の中から所定の選択情報を選択する動作を指示し、前記関連表示情報記憶部は、前記関連表示情報として、前記不揮発性表示部に表示される選択情報に対応する表示情報を記憶し、前記記憶制御部は、前記選択情報に対応する表示情報を前記関連表示情報として前記関連表示情報記憶部から読み出して前記一時記憶部に一時記憶させることを特徴とする。
【００１２】
請求項７に記載の発明によれば、前記表示情報取得部は、複数のページから構成される前記表示情報を、複数のファイルとして記憶する前記表示情報記憶部から前記表示情報を取得し、前記操作部は、前記各種動作として、前記不揮発性表示部に表示された複数のファイルの中から所定のファイルを選択する動作と対応付けられた表示情報を表示する指示を行い、前記関連表示情報記憶部は、前記関連表示情報として、前記複数のファイルそれぞれを構成する１ページ目を記憶し、前記記憶制御部は、前記１ページ目に対応する表示情報を前記関連表示情報として前記関連表示情報記憶部から読み出して前記一時記憶部に一時記憶させることを特徴とする。
【００１３】
請求項８に記載の発明によれば、前記関連表示情報記憶部は、前記表示情報記憶部より高速動作可能なフラッシュメモリーであることを特徴とする。
【００１４】
請求項９に記載の発明によれば、表示情報に従って駆動電圧が供給された時に表示を書き換え、駆動電圧の供給が停止された時に表示を維持する不揮発性表示部を有する表示装置の表示方法であって、前記不揮発性表示部に所定の表示をさせる表示情報を記憶する不揮発性の表示情報記憶部から取得された前記表示情報を、前記不揮発性表示部に表示するために揮発性の一時記憶部に一時記憶させる一時記憶ステップと、前記不揮発性表示部に表示される表示情報に関連する関連表示情報を不揮発性の関連表示情報記憶部に記憶させる関連表示情報記憶ステップと、少なくとも前記不揮発性表示部と前記一時記憶部と前記関連表示情報記憶部とへ駆動電圧を供給して前記不揮発性表示部の表示情報を書き換える駆動モードと、少なくとも前記不揮発性表示部と前記一時記憶部と前記関連表示情報記憶部とへの駆動電圧の供給を停止して表示情報を維持する停止モードとの間で動作モードを切り替えるモード切替ステップと、前記表示装置の各種動作を指示するために操作可能な操作ステップと、前記不揮発性表示部の表示を書き換えるために前記操作ステップにより操作されて、前記モード切替ステップにより前記停止モードから前記駆動モードへ切り替えられるとき、前記操作に対応する前記関連表示情報を前記関連表示情報記憶部から読み出して前記一時記憶部に一時記憶させる記憶制御ステップと、前記操作に従って、前記記憶制御ステップにより前記一時記憶部に記憶された前記関連表示情報を前記不揮発性表示部に表示をさせる表示指令を前記不揮発性表示部に供給する表示指令供給ステップと、を備えることを特徴とする表示方法である。
【００１５】
請求項１０に記載の発明によれば、前記表示指令供給ステップにより前記表示指令が前記不揮発性表示部に供給されたとき、前記表示情報取得ステップは前記情報記憶部から前記不揮発性表示部に表示される表示情報の前記関連表示情報を取得し、前記関連表示情報記憶ステップは、前記表情報取得ステップにより取得された前記関連表示情報を記憶することを特徴とする。
【００１６】
請求項１１に記載の発明によれば、  表示情報に従って駆動電圧が供給された時に表示を書き換え、駆動電圧の供給が停止された時に表示を維持する不揮発性表示部を有する表示装置の表示方法であって、前記不揮発性表示部に所定の表示をさせる表示情報を記憶する不揮発性の表示情報記憶部から取得された前記表示情報を、前記不揮発性表示部に表示するために揮発性の一時記憶部に一時記憶させる一時記憶ステップと、前記不揮発性表示部に表示される表示情報に関連する関連表示情報を不揮発性の関連表示情報記憶部に記憶させる関連表示情報記憶ステップと、少なくとも前記不揮発性表示部と前記一時記憶部と前記関連表示情報記憶部とへ駆動電圧を供給して前記不揮発性表示部の表示情報を書き換える駆動モードと、少なくとも前記不揮発性表示部と前記一時記憶部と前記関連表示情報記憶部とへの駆動電圧の供給を停止して表示情報を維持する停止モードとの間で動作モードを切り替えるモード切替ステップと、前記表示装置の各種動作を指示するために操作可能な操作を検出する操作検出ステップと、前記不揮発性表示部の表示を書き換えるための操作が前記操作検出ステップにより検出されて、前記モード切替ステップにより前記停止モードから前記駆動モードへ切り替えられるとき、前記操作に対応する前記関連表示情報を前記関連表示情報記憶部から読み出して前記一時記憶部に一時記憶させる記憶制御ステップと、前記操作に従って、前記記憶制御ステップにより前記一時記憶部に記憶された前記関連表示情報を前記不揮発性表示部に表示をさせる表示指令を前記不揮発性表示部に供給する表示指令供給ステップと、をコンピュータに動作させるためのプログラムである。
【発明の効果】
【００１７】
一般に、表示装置の主要な制御部に電力が供給されている場合、表示の書き換えなどを含む表示装置の応答性は良い。これに対し、主要な制御部への電力の供給を停止すると応答性は悪くなるが、消費電力の低減には効果的である。表示装置の応答性と消費電力の低減という相反することを同時に満足するために、請求項１記載の発明によれば、不揮発性表示部の表示を書き換えるために操作部が操作されて、モード切替部が停止モードから駆動モードへ切り替えるとき、記憶制御部は、操作に対応する関連表示情報を関連表示情報記憶部から読み出して一時記憶部に一時記憶させる。表示指示供給部は、操作に従って、記憶制御部により一時記憶部に記憶された関連表示情報を不揮発性表示部に表示をさせる表示指令を不揮発性表示部へ供給するする。従って、不揮発性表示部に現在表示されている関連表示情報が、不揮発性の関連表示情報記憶部に記憶される。この結果、関連表示情報記憶部から操作に対応した表示情報を読み出せばよいため、不揮発性表示部に表示する情報をＳＤカードから検索し、ＲＡＭに読み出す処理が不要となる。そのため、表示情報の検索及びＲＡＭに読み出す時間がないため、表示を書き換えるための起動時間が短くなり、表示を書き換える応答性が良くなる。
【００１８】
請求項２に記載の発明によれば、表示指令供給部が表示指令を不揮発性表示部へ供給したとき、表示情報取得部は情報記憶部から不揮発性表示部に表示される表示情報の関連表示情報を取得する。関連表示情報記憶部は、表情報取得部に取得された関連表示情報を記憶する。この結果、不揮発性表示部の表示が書き換えられた後に、表示装置が駆動モードから停止モードへ切り替えられた場合であっても、表示情報の検索及びＲＡＭに読み出す時間が短くなる。そのため、表示を書き換えるための起動時間が短くなり、表示を書き換える応答性が良くなる。
【００１９】
請求項３に記載の発明によれば、記憶制御部は、不揮発性表示部の表示を書き換えるために操作部が操作されたとき、関連表示情報記憶部に関連表示情報が記憶されているか否かを判定する関連判定部を備える。関連判定部により関連表示情報記憶部に関連表示情報が記憶されていると判定したとき、記憶制御部は、関連表示情報記憶部に記憶された関連表示情報を一時記憶部に記憶し、関連判定部により関連表示情報記憶部に関連表示情報が記憶されていないと判定された場合、記憶制御部は、少なくとも操作に対応する表示情報を表示情報取得部により取得し、一時記憶部に記憶する。この結果、関連表示情報記憶部に関連表示情報が記憶されていない場合であっても、操作に対応する表示情報を表示することができる。
【００２０】
請求項４に記載の発明によれば、操作部は、各種動作と対応付けられた表示情報を不揮発性表示部に表示する指示を行う。関連表示情報記憶部は、関連表示情報として、各種動作と対応付けられた表示情報を記憶する。この結果、操作部の各種動作により表示が書き換えられる場合であっても、表示を書き換えるための起動時間が短くなり、表示を書き換える応答性が良くなる。
【００２１】
請求項５に記載の発明によれば、操作部は、各種動作として、不揮発性表示部に表示される表示情報の前後のページを表示させる動作と対応付けられた表示情報を表示する指示を行う。関連表示情報記憶部は、関連表示情報として、不揮発性表示部に表示される表示情報の前後のページを表示する表示情報を記憶する。この結果、表示を書き換える応答性が良くなるとともに、前後のページを記憶しておけば良いため、関連表示情報記憶部に記憶する情報量を減らすことができる。
【００２２】
請求項６に記載の発明によれば、操作部は、不揮発性表示部に表示された複数の選択情報の中から所定の選択情報を選択する動作を指示する。関連表示情報記憶部は、関連表示情報として、不揮発性表示部に表示される選択情報に対応する表示情報を記憶する。この結果、操作部により所定の選択情報が表示される場合であっても、選択情報に対応した表示を書き換えるための起動時間が短くなり、表示を書き換える応答性が良くなる。
【００２３】
請求項７に記載の発明によれば、操作部は、不揮発性表示部に表示された複数のファイルの中から所定のファイルを選択する動作を指示する。関連表示情報記憶部は、関連表示情報として、複数のファイルそれぞれを構成する１ページ目を記憶する。従って、不揮発性表示部に表示される全てのファイルについての１ページ目の表示情報が、関連表示情報記憶部から読み出される。この結果、表示されるファイルの中から所定のファイルが選択される場合であっても、表示される全てのファイルについて、表示を書き換える応答性が良くなる。
【００２４】
請求項８に記載の発明によれば、関連表示情報記憶部は、表示情報記憶部より高速動作可能なフラッシュメモリーである。この結果、関連表示情報記憶部から表示情報を読み出す処理が速くなるため、表示を書き換えるための起動時間が短くなり、表示を書き換える応答性が良くなる。
【００２５】
一般に、表示装置の主要な制御部に電力が供給されている場合、表示の書き換えなどを含む表示装置の応答性は良い。これに対し、主要な制御部への電力の供給を停止すると応答性は悪くなるが、消費電力の低減には効果的である。表示装置の応答性と消費電力の低減という相反することを同時に満足するために、請求項９及び請求項１１に記載の発明によれば、不揮発性表示部の表示を書き換えるために操作ステップにより操作されて、モード切替ステップにより停止モードから駆動モードへ切り替えられるとき、記憶制御ステップは、操作に対応する関連表示情報を関連表示情報記憶部から読み出して一時記憶部に一時記憶させる。表示指示発生ステップは、一時記憶部に記憶された操作に対応する表示情報を不揮発性表示部に表示をさせる表示指示を発生する。従って、不揮発性表示部に現在表示されている関連表示情報が、不揮発性の関連表示情報記憶部に記憶される。この結果、関連表示情報記憶部から操作に対応した表示情報を読み出せばよいため、不揮発性表示部に表示する情報をＳＤカードから検索し、ＲＡＭに読み出す処理が不要となる。そのため、表示情報の検索及びＲＡＭに読み出す時間がないため、表示を書き換えるための起動時間が短くなり、表示を書き換える応答性が良くなる。
【００２６】
請求項１０記載の発明によれば、表示指示発生ステップにより表示指示が発生されたとき、表示情報取得ステップは情報記憶部から不揮発性表示部に表示される表示情報の関連表示情報を取得する。関連表示情報記憶ステップは、表情報取得ステップにより取得された関連表示情報を記憶する。従って、表示指令発生部ステップにより表示指令が発生され、指令を受け取った不揮発性表示部が表示を書き換えている間に、関連表示情報記憶部は、表示情報記憶部から関連表示情報を読み出して記憶することができる。
【図面の簡単な説明】
【００２７】
【図１】実施形態における画像表示装置１の外観図である。
【図２】実施形態における電気泳動表示部３の正面図である。
【図３】図２に示す電気泳動表示部３のＡ−Ａ’線に従う矢視方向断面図である。
【図４】実施形態における画像表示装置１の電気的構成を示すブロック図である。
【図５】実施形態におけるメイン動作を示すフローチャートである。
【図６】実施形態における関連表示情報記憶処理を示すフローチャートである。
【図７】実施形態における電気泳動表示部３にメインメニューが表示される概念図である。
【図８】実施形態における「お気に入り１」に対応する表示情報が電気泳動表示部３に表示された概念図である。
【図９】実施形態における「データファイル１」の３ページ目の表示情報が表示されている概念図を示す。
【発明を実施するための形態】
【００２８】
［実施形態］
以下、電気泳動表示部を備えた携帯型の表示装置に本発明を適用した実施形態について図面を参照して説明する。
【００２９】
＜実施形態の外観的構成＞
図１は、本発明を適用した実施形態の携帯型の画像表示装置１の外観図である。実施形態の表示装置１は、略直方体である。本実施形態の表示装置１は、電源スイッチ２と、電気泳動表示部３と、５つの操作キー４〜操作キー８とを備えている。電源スイッチ２により画像表示装置１の電源がオン、または、オフされる。操作キー４〜操作キー８が操作されることにより、電気泳動表示部３で表示される画像が書き換えられる。操作キー７の操作により、電気泳動表示部３に現在表示されている画像の１ページ前の画像が表示される。操作キー８の操作により、電気泳動表示部３に現在表示されている画像の１ページ後の画像が表示される。操作キー４〜操作キー６の操作により、電気泳動表示部３に表示された表示情報と対応付けられた処理が実行される。実施形態の操作キー４〜操作キー８は、本発明の操作部の一例である。実施形態の電気泳動表示部３は、本発明の不揮発性表示部の一例である。
【００３０】
図２は、電気泳動表示部３の正面図である。図３は、図２に示す電気泳動表示部３のＡ−Ａ´線に従う矢視方向断面図である。以下、電気泳動表示部３について図２と図３とを参照して説明する。なお、説明の便宜上、図２と図３とは、電気泳動表示部３により白黒画像が表示され、電気泳動表示部３の画素数が５×４の２０個である例を示している。本実施形態では、１画素に対して１画素空間が対応している。実際には、必要に応じた画素数が設けられる。
【００３１】
図２に示されるように電気泳動表示部３には、画像を表示するための画素空間２１が備えられている。実施形態では、画素空間２１に対して電界を発生させるために、画素空間２１と同じ位置には電極が配置されている。画素空間２１が配置されている周辺部は、上部電極保護膜６１により覆われている。上部電極保護膜６１は、ポリイミド，ポリエチレンテレフタレート，ガラス、酸化チタン、酸化ケイ素、ポリスチレンなどの高い透明性を発揮可能な材料により形成される。画素空間２１が備えられていない電気泳動表示部３の周縁部は、ユーザが視認できないように隠蔽するためのマスク部４０により囲まれている。
【００３２】
実施形態の画像表示装置１では、図３に示す矢印の方向をそれぞれ上方向、下方向とする。図３に示すように、電気泳動表示部３は、マスク部４０と下部基板５０と上部基板６０と表示部７０と隔壁７１とを備えている。下部基板５０は、電気泳動表示部３の下面部分に備えられている。上部基板６０は、表示部７０を挟んで下部基板５０に対して上方向に対向配置されている。画像表示装置１のユーザは、図３の上方向から、表示層６３を介して表示される画像を閲覧する。
【００３３】
隔壁７１は、下部基板５０と上部基板６０との間に配置され、両基板により支持されている。隔壁７１は、下部基板５０上を格子状に均等に分割して多数の画素空間２１を形成するように配置される。
【００３４】
表示部７０は、各画素空間２１に帯電粒子３３ａと帯電粒子３３ｂと分散媒３４とが充填されて構成される。具体的には、多数の画素空間２１が下部基板５０上で隔壁７１により格子状に分割される。帯電粒子３３ａと帯電粒子３３ｂと分散媒３４とが、各画素空間２１の中に充填される。帯電粒子３３ａ及び帯電粒子３３ｂの材料としては、分散媒３４中において帯電可能な材料が用いられる。帯電粒子３３ａ及び帯電粒子３３ｂの材料として、有機化合物や無機化合物からなる顔料及び染料、もしくは顔料及び染料を合成樹脂で包んだものが用いられる。本実施形態では、帯電粒子３３ａとして、スチレン樹脂と二酸化チタンとの混合物が材料として用いられる。帯電粒子３３ａとして、平均粒子径が５μｍのものであって、粒子中の二酸化チタンの量が４０ｗｔ％のものが使用される。帯電粒子３３ｂとして、スチレン樹脂とカーボンブラックとの混合物が用いられる。帯電粒子３３ｂとして、平均粒子径が５μｍのものであって、粒子中のカーボンブラックの量が３０ｗｔ％のものが使用される。そのため、帯電粒子３３ａは白色の色調であり、帯電粒子３３ｂは黒色の色調である。また、帯電粒子３３ａと帯電粒子３３ｂとは、それぞれが正あるいは負に相異となるように帯電している。実施形態では、帯電粒子３３ａが負に、帯電粒子３３ｂが正に帯電している。
【００３５】
分散媒３４として、高絶縁性で、且つ、粘性の低いアルコール類または、炭化水素、またはシリコーンオイルが用いられる。実施形態では、分散媒３４として、パラフィン系溶剤であるエクソンモービル社製Ｉｓｏｐａｒが用いられる。なお、分散媒３４には、添加剤としてエタノールが加えられている。各画素空間２１を占める帯電粒子３３ａ及び帯電粒子３３ｂ及び溶媒は以下の通りである。白色帯電粒子３３ａは、７ｗｔ％である。黒色帯電粒子３３ｂは１０ｗｔ％である。溶媒１はＩｓｏｐａｒ：７３ｗｔ％である。溶媒２はエタノール：１０ｗｔ％である。
【００３６】
下部基板５０は、下部電極保護膜５１と下部電極５２と筐体支持部５３とを備える。
【００３７】
下部電極保護膜５１は、下部電極５２の上面側に絶縁材料を塗布して形成された絶縁膜である。下部電極保護膜５１は、本実施形態では、酸化ケイ素が用いられる。
【００３８】
下部電極５２は、画素空間２１に対して電圧を印加するために備えられている。下部電極５２は、画素空間２１それぞれに対して一定の電圧が印加されるために、上部電極６２と平行に配置されている。
【００３９】
筐体支持部材５３は、下部電極５２の下面側に備えられる。筐体支持部５３は、画像表示装置１そのものを支持する。
【００４０】
上部基板６０は、上部電極保護膜６１と、上部電極６２と、表示層６３とを備える。また、上部基板６０の上面（下部基板５０と対向しない面）には、マスク部４０が備えられている。
【００４１】
上部電極保護膜６１は、上部電極６２の下面側に絶縁材料を塗布することにより形成された絶縁膜である。上部電極保護膜６１は、本実施形態では、上部電極保護膜６１の材料としては、酸化ケイ素が用いられる。
【００４２】
上部電極６２は、下部電極５２との間に電界を発生させるための電極である。画素空間２１それぞれに対して所定の電圧が印加されるために、上部電極６２が備えられた共通の電気導電体として配置されている。上部電極６２は、透明性の高い材料により形成される。本実施形態では、上部電極６２として、酸化インジウムすず（ＩＴＯ）により形成された透明電極が用いられる。
【００４３】
表示層６３はガラス、ポリエチレンテレフタレート、ポリカーボネート、トリアセチルセルロースなど透明な部材により形成される。表示層６３は上部電極６２の上面側に備えられている。表示層６３は表示画面として機能する。表示層６３としては可撓性を有するガラス基板が用いられる。上部基板６０が、上述した透明性の高い材料により形成されることで、ユーザが上部基板６０の上方向から表示部７０を視認することができる。
【００４４】
マスク部４０は、画素空間２１が存在しない表示部７０の周縁部をユーザが視認できないよう隠蔽するために備えられている。マスク部４０は、上部基板６０の４つの辺に沿って、一定幅で備えられている。マスク部４０としては、ユーザが表示部７０を視認できるように、図３に示す四角の型の形状の板状部材が用いられる。マスク部４０として、ポリエチレンテレフタレートなどの合成樹脂を着色した部材が用いられる。また、インクなどにより、表示層６３の表面に直接マスク部４０と同等の効果のあるインク層が形成されても良い。本実施形態では、マスク部４０として、ポリエチレンテレフタレートが用いられる。
【００４５】
＜実施形態の電気的構成＞
図４は、実施形態の画像表示装置１の電気的構成を示すブロック図である。図４に示すように、画像表示装置１は、画像表示装置１を制御するＣＰＵ１０を備えている。ＣＰＵ１０は、メモリーカードインターフェース（Ｉ／Ｆ）１１と、ＲＯＭ１３と、ＮＡＮＤ型のフラッシュメモリー１４と、ＲＡＭ１５と、バッテリー１６と、表示制御部１８と、電力制御部１９と、操作キー４〜操作キー８とにそれぞれ電気的に接続されている。メモリーカードＩ／Ｆ１１は、メモリーカード１２と接続され、メモリーカード１２から情報を読み出す。ＣＰＵ１０は、メモリーカード１２、ＲＯＭ１３、フラッシュメモリー１４、ＲＡＭ１５などの記憶手段と共に、実施形態のコンピュータを構成している。本実施形態では、メモリーカード１２としてＳＤカード（登録商標）が使用される。また、ＣＰＵ１０は、タイマー１０１を備える。タイマー１０１は、時間を計時するためのタイマーである。
【００４６】
電源スイッチ２は、ユーザにより操作される。電源スイッチ２により画像表示装置１の電源がオンにされると、バッテリー１６はＣＰＵ１０に電力を供給する。具体的には、電源スイッチ２のオン、またはオフに応じて、スイッチング回路が電源の供給及び停止を行なう。電源スイッチ２により画像表示装置１の電源がオフにされると、スイッチング回路によりバッテリー１６からＣＰＵ１０への電力の供給が停止される。
【００４７】
ＲＯＭ１３は、メインプログラム記憶領域１３１とメインメニュー表示情報記憶領域１３３とを備える。メインプログラム記憶領域１３１は、メインプログラムを記憶する。メインプログラムは、画像表示装置１のメイン処理動作を実行させるためのプログラムである。メインプログラム記憶領域１３１は、関連表示情報記憶処理プログラム記憶領域１３２を含む。関連表示情報記憶処理プログラム記憶領域１３２は、関連表示情報記憶処理プログラムを記憶する。関連表示情報記憶処理プログラムは、関連表示情報をフラッシュメモリー１４に記憶するためのプログラムである。メインメニュー表示情報記憶領域１３３は、画像表示装置１により表示されるメインメニュー表示情報を記憶する。
【００４８】
メモリーカードインターフェース１１は、携帯型の外部メモリーであるメモリーカード１２と接続するためのインターフェースである。本実施形態で用いるＳＤカード以外のメモリーカードが用いられても良い。メモリーカード１２は、表示情報記憶領域１２１を有する。表示情報記憶領域１２１は、電気泳動表示部３に画像を表示するための表示情報を記憶する。表示情報は、画素情報と座標情報とから構成される。画素情報は、電気泳動表示部３の各画素空間２１ごとに表示（黒）と非表示（白）とを指定するための情報である。座標情報は、表示情報記憶領域１２１に記憶される表示情報に従ってテキスト、画像、図形等が電気泳動表示部３において表示される位置を示す情報である。表示情報は、複数のページにより構成されるファイルの形式で記憶されている。メモリーカード１２の代わりに、ＨＤＤなどの外部記憶装置が用いられても良い。本実施形態のメモリーカードインターフェース１１は、本発明の表示情報取得部の一例である。
【００４９】
ＲＡＭ１５は、公知のＲＡＭから構成される。ＲＡＭ１５は、表示情報一時記憶領域１５１と操作キー情報一時記憶領域１５２とを含む。表示情報一時記憶領域１５１は、表示情報として表示情報記憶領域１２１に記憶された画素情報と、座標情報とを一時記憶する。表示情報一時記憶領域１５１に記憶される表示情報は、操作キー４〜操作キー８が操作されたときに、電気泳動表示部３により表示される画像に関する表示情報である。操作キー情報一時記憶領域１５２は、操作された操作キーを識別する操作キー情報を一時記憶する。操作キー４〜操作キー８が操作されるたびに、操作キー一時記憶領域１５２に記憶される情報は更新される。本実施形態のＲＡＭ１５は、本発明の一時記憶部の一例である。
【００５０】
フラッシュメモリー１４は、電力の供給が遮断された場合でも、記憶内容を保持する不揮発性のメモリーである。フラッシュメモリー１４は、関連表示情報記憶領域１４１を有する。フラッシュメモリー１４は、ＨＤＤ（Ｈａｒｄ  Ｄｉｓｋ  Ｄｒｉｖｅ）やＳＤカード（登録商標）と比較すると、情報の書き込み処理、読み出し処理が高速動作可能である。本実施形態のフラッシュメモリー１４は、本発明の関連表示情報記憶部の一例である。
【００５１】
関連表示情報記憶領域１４１は、関連表示情報を記憶する。関連表示情報は、電気泳動表示部３に表示されている表示情報に関連する表示情報である。本実施形態では、電気泳動表示部３の現在の表示に対して、各操作キー４〜操作キー８の操作により次回表示される表示情報が関連表示情報である。関連表示情報記憶領域１４１は、操作キー４記憶領域１４２と、操作キー５記憶領域１４３と、操作キー６記憶領域１４４と、操作キー７記憶領域１４５と、操作キー８記憶領域１４６とを含む。上記した各記憶領域は、各操作キーの操作に対応する表示情報を関連表示情報として記憶する。
【００５２】
バッテリー１６は、電源スイッチ２とＣＰＵ１０と電力制御部１９とにそれぞれ接続される。画像表示装置１がＵＳＢ接続端子を備えていた場合、バッテリー１６は、パーソナルコンピュータと画像表示装置１とがＵＳＢにより接続されたことにより、パーソナルコンピュータの電源から充電される。または、コンセントを介して商用電源などの外部電源と画像表示装置１とが接続されたことにより、バッテリー１６は、外部電源から充電される。
【００５３】
電力制御部１９は、電圧変換部１９１とスイッチ切替部１９２とを備える。電圧変換部１９１は、バッテリー１６から供給される電圧を、各種周辺機器を動作させるために適した値の電圧へ変換する。電圧変換部１９１は、ＣＰＵ１０と接続される各種周辺機器とそれぞれ接続される。具体的には、電圧変換部１９１は、電気泳動表示部３と、メモリーカードＩ／Ｆ１１と、ＲＯＭ１３と、フラッシュメモリー１４と、ＲＡＭ１５と、表示制御部１８と接続される。
【００５４】
スイッチ切替部１９２は、ＣＰＵ１０と接続される周辺機器と、電圧変換部１９１との接続を切り替える。スイッチ切替部１９２が接続を切り替えることで、各種周辺機器への電圧の供給及び停止が制御される。スイッチ切替部１９２は、ＦＥＴスイッチから構成される。ＦＥＴスイッチは、電界効果トランジスタから構成され、ゲート端子に対する電圧の印加または停止により、オンまたはオフの状態に変化する公知のスイッチング素子である。ＣＰＵ１０が、ＦＥＴスイッチをオンまたはオフさせる切替指令を発生する。切替指令に従って、ＦＥＴスイッチは、オンまたはオフにされ、各ＦＥＴスイッチに接続される各種周辺機器と電圧変換部１９１との接続、または、遮断を行う。ＦＥＴスイッチがオンされることで、ＦＥＴスイッチに接続される各種機器に電圧が印加される。本実施形態では、電気泳動表示部３と、メモリーカードＩ／Ｆ１１と、ＲＯＭ１３と、フラッシュメモリー１４と、ＲＡＭ１５と、表示制御部１８とは、ＦＥＴスイッチを介して電圧変換部１９１と接続される。ＣＰＵ１０は、電力制御部１９による電圧の供給及び停止とは独立して、バッテリー１６から電力の供給を受けている。そのため、スイッチ切替部１９２により電圧変換部１９１と各種周辺機器とが接続されていない場合でも、ＣＰＵ１０へ電力が供給される。電圧変換部１９１と各種周辺機器とが接続されていない場合でも、ＣＰＵ１０は操作キー４〜操作キー８の操作を受け付けることができる。操作キー４〜操作キー８から操作信号が所定の時間供給されなかったとき、ＣＰＵ１０は、電圧変換部１９１と各種周辺機器とを遮断させる指令を、スイッチ切替部１９２に送る。また、操作キー４〜操作キー８から操作信号が供給されたとき、ＣＰＵ１０は、電圧変換部１９１と各種周辺機器とを接続させる指令を、スイッチ切替部１９２に送る。
【００５５】
表示制御部１８は、駆動電圧発生部１８１と電圧印加制御部１８２とを備える。駆動電圧発生部１８１は、下部電極５２と上部電極６２とへ印加する駆動電圧を発生する。駆動電圧発生部１８１は、バッテリー１６から供給される電圧を昇圧する。そして、駆動電圧発生部１８１は、昇圧された電圧を各電極へ印加する電圧として発生する。電圧印加制御部１８２は、下部電極５２と上部電極６２とに所定の駆動電圧を印加する制御を行なう。具体的には、電圧印加制御部１８２は、表示情報を構成する画素情報に従って、所定の電圧を印加する上部電極６２及び下部電極５２を決定する。決定された電極について、電圧印加制御部１８２は、駆動電圧発生部１８１が発生した駆動電圧を印加するか否かを決定し、印加する電圧の極性を決定する。本実施形態では、共通の駆動電圧(例えば０ボルト)が上部電極６２に印加される。「表示（黒）」に書き換えることが可能な大きさの電界が上部電極６２と下部電極５２との間に発生されるように、正の極性の電圧が下部電極５２に印加される。「非表示（白）」に書き換えることが可能な大きさの電界が下部電極５２と上部電極６２との間に発生されるように、負の極性の電圧が下部電極５２に印加される。上部電極６２より低い負の極性の電圧が下部電極５２に印加されることで、負に帯電した白色の帯電粒子３３ａが、図３に示す表示層６３に向かって上方向に引き付けられる。一方、上部電極６２より高い正の極性の電圧が下部電極５２に印加されることで、正に帯電した黒色の帯電粒子３３ｂが、図３に示す表示層６３に向かって上方向に引き付けられる。黒色の帯電粒子３３ｂが表示層６３に引き付けられることで、画像を表示することができる。電気泳動表示部３の上部電極６２及び下部電極５２への電圧の供給が停止された場合でも、分散媒３４の粘度及び鏡像力により帯電粒子３３ａ及び帯電粒子３３ｂの引き付け状態が維持される。帯電粒子３３ａ及び帯電粒子３３ｂが分散媒３４中で移動可能な逆方向の電界が発生すれば、帯電粒子３３ａ及び帯電粒子３３ｂは再び移動し、位置が逆転することで画像が書き換えられる。本実施形態の表示制御部１８は、本発明の表示制御部の一例である。
【００５６】
＜実施形態の動作＞
以上説明した構成からなる本実施形態の画像表示装置１の動作及び作用について、添付図面を参照して説明する。図５は、画像表示装置１におけるＣＰＵ１０のメイン動作の処理手順を示すフローチャートである。電源スイッチ２が押下されてバッテリー１６と画像表示装置１とが接続されたことにより、ＣＰＵ１０と電力制御部１９とに電力が供給される。電力がＣＰＵ１０に供給された後に、ＣＰＵ１０がメイン動作を実行する。以下に示す処理は全てＣＰＵ１０により処理される。
【００５７】
（メイン動作）
最初に、ステップＳ１０１では、画像表示装置１が駆動モードへ切り替えられる。本実施形態の駆動モードは、スイッチ切替部１９２を構成するＦＥＴスイッチがオンにされる。すなわち、ＦＥＴスイッチと接続される各種周辺機器と、電圧変換部１９１とが接続される。ＦＥＴスイッチがオンされることで、電気泳動表示部３と、メモリーカードＩ／Ｆ１１と、ＲＯＭ１３と、フラッシュメモリー１４と、ＲＡＭ１５と、表示制御部１８とに電圧が印加される。また、タイマー１０１の時間のカウントがスタートされる。後述するステップＳ１０９で操作キー４〜操作キー８のいずれかが操作された場合、操作された操作キーを識別する操作キー情報が操作キー情報一時記憶領域１５２に一時記憶される。本実施形態のコンピュータとステップＳ１０１とは、本発明のモード切替部の一例である。本実施形態のステップＳ１０１は、本発明のモード切替ステップの一例である。
【００５８】
ステップＳ１０２では、フラッシュメモリー１４に関連表示情報が記憶されているか否かが判定される。操作キー３記憶領域と操作キー４記憶領域と操作キー５記憶領域と操作キー６記憶領域と操作キー７記憶領域とのいずれかに表示情報が記憶されているかにより、関連表示情報が記憶されているかが判定される。関連表示情報が記憶されていると判定された場合、ステップＳ１０４が実行される。関連表示情報が記憶されていないと判定された場合、ステップＳ１０３が実行される。本実施形態のコンピュータとステップＳ１０２とは、本発明の関連判定部の一例である。
【００５９】
ステップＳ１０３では、電気泳動表示部３にメインメニューを表示させる指令が供給される。メインメニューの表示情報は、ＲＯＭ１３のメインメニュー表示情報記憶領域１３３に記憶されている。メモリーカードＩ／Ｆ１１から読み出されたメインメニューの表示情報は、ＲＡＭ１５の表示情報一時記憶領域１５１に一時記憶される。ＲＡＭ１５に記憶されたメインメニューの表示情報を電気泳動表示部３に表示させる指令が、電気泳動表示部３へ供給される。供給された指令に基づいて、電気泳動表示部３は、メインメニューを表示する。図７は、電気泳動表示部３にメインメニューが表示される概念図である。図７に示すように、操作キー４には、表示情報「ドキュメント」が対応付けられている。また、操作キー５には、表示情報「お気に入り１」が対応付けられている。操作キー６には、表示情報「お気に入り２」が対応付けられている。操作キー４〜操作キー６が操作されることで、「ドキュメント」、「お気に入り１」、「お気に入り２」の表示を表す表示情報が電気泳動表示部３に表示される。本実施形態のステップＳ１０３は、本発明の一時記憶ステップの一例である。
【００６０】
ステップＳ１０４では、操作キー４〜操作キー８のいずれかの操作に対応する表示情報が、フラッシュメモリー１４から読み出される。操作キー４記憶領域と操作キー５記憶領域と操作キー６記憶領域と操作キー７記憶領域と操作キー８記憶領域とのいずれかから、操作された操作キーに対応する記憶領域が決定される。操作キー情報一時記憶領域１５２に記憶された情報に基いて、操作キーに対応する記憶領域が決定される。決定された記憶領域から、関連表示情報が読み出される。読み出された関連表示情報は、ＲＡＭ１５の表示情報一時記憶領域１５１に一時記憶される。本実施形態のコンピュータとステップＳ１０４とは、本発明の記憶制御部の一例である。本実施形態のステップＳ１０４は、本発明の記憶制御ステップの一例である。
【００６１】
ステップＳ１０５では、電気泳動表示部３へ表示指令が供給される。供給される表示指令は、ＲＡＭ１５に記憶された表示情報を表示する指令である。ＲＡＭ１５に一時記憶された表示情報を表示する指令が、電気泳動表示部３へ供給される。供給された指令に基づいて、電気泳動表示部３は、所定の表示情報を表示する。本実施形態のコンピュータとステップＳ１０５とは、本発明の表示指令供給部の一例である。本実施形態のステップＳ１０５は、本発明の表示指令供給ステップの一例である。
【００６２】
ステップＳ１０６では、関連表示情報が、関連表示情報記憶領域１４１に記憶される。記憶される関連表示情報は、操作キー情報一時記憶領域１５２に記憶された操作キー情報に対応する表示情報である。ステップＳ１０６が実行された後に、操作キー情報一時記憶領域１５２に記憶された情報はリセットされる。
【００６３】
ステップＳ１０７では、タイマー１０１によりカウントされた時間が、所定の時間経過したかが判定される。所定の時間が経過したと判定された場合、ステップＳ１０８が実行される。所定の時間が経過していないと判定された場合、ステップＳ１０９が実行される。
【００６４】
ステップＳ１０８では、画像表示装置１が停止モードへ切り替えられる。本実施形態の停止モードは、スイッチ切替部１９２を構成するＦＥＴスイッチがオフにされる。すなわち、ＦＥＴスイッチと接続される各種周辺機器と、電圧変換部１９１とが遮断される。ＦＥＴスイッチがオフされることで、少なくとも電気泳動表示部３と、メモリーカードＩ／Ｆ１１と、ＲＯＭ１３と、フラッシュメモリー１４と、ＲＡＭ１５と、表示制御部１８とへの電圧の供給が遮断される。ＣＰＵ１０は、電圧変換部１９１へ電圧の変換を停止する指令を送る。また、ＣＰＵ１０がタイマー１０１のカウントを終了する終了指令を発生する。タイマー１０１によりカウントされた時間がリセットされる。本実施形態のコンピュータとステップＳ１０８とは、本発明のモード切替部の一例である。本実施形態のステップＳ１０８は、本発明のモード切替ステップの一例である。
【００６５】
ステップＳ１０９では、操作キー４〜操作キー８のいずれかが操作されたかが判定される。操作されたと判定されたとき、ステップＳ１０１が実行される。操作されないと判定された場合、ステップＳ１１０が実行される。本実施形態のステップＳ１０９は、本発明の操作ステップと操作検出ステップとの一例である。
【００６６】
ステップＳ１１０では、本装置の電源スイッチ２がユーザによりオフされたかが判定される。オフされたと判定されなかった場合、ステップＳ１０９が実行される。電源スイッチがオフにされたと判定された場合、バッテリー１６と画像表示装置１との接続が切断されることで、ＣＰＵ１０と電力制御部１９とへの電圧の印加が遮断される。ＣＰＵ１０への電圧の印加が遮断されることで、メイン動作は終了される。
【００６７】
（関連表示情報記憶処理動作）
ステップＳ２０１では、表示情報一時記憶領域１５１にメインメニューの表示情報が記憶されているかが判定される。表示情報一時記憶領域１５１にメインメニューの表示情報が記憶されていると判定されたとき、ステップＳ２０２が実行される。表示情報一時記憶領域１５１にメインメニューの表示情報が記憶されていないと判定されたとき、ステップＳ２０３が実行される。
【００６８】
ステップＳ２０２では、メインメニュー表示の関連表示情報が、関連表示情報記憶領域１４１に記憶される。図７に示す「ドキュメント」、「お気に入り１」、「お気に入り２」が選択されることで表示される表示情報が、関連表示情報として関連表示情報記憶領域１４１に記憶される。図８は、操作キー５が操作されることにより図７の「お気に入り１」に対応する表示情報が電気泳動表示部３に表示された概念図である。図７の「お気に入り１」に対応する表示情報は、「お気に入り１」として登録されたデータファイルが表示される情報である。図８に示す各データファイルは、複数のページから構成される表示情報である。他の「ドキュメント」、「お気に入り２」も同様に、メインメニューが表示されているとき、操作キー４または操作キー６が操作されると図８に示すような表示情報が表示される。図８に示す表示情報は、画像表示装置１のＯＳ（Ｏｐｅｒａｔｉｎｇ  Ｓｙｓｔｅｍ）により生成される。画像表示装置１のＯＳは、特に図示はしていない。図７に示す「ドキュメント」、「お気に入り１」、「お気に入り２」が操作キー４〜操作キー６により選択されることで表示される表示情報が、操作キー４〜操作キー６と対応付けられて関連表示情報として記憶される。操作キー４の操作により「ドキュメント」が選択されたときに表示される表示情報が、操作キー４記憶領域１４２に記憶される。操作キー５の操作により「お気に入り１」が選択されたときに表示される表示情報が、操作キー５記憶領域１４３に記憶される。操作キー６の操作により「お気に入り２」が選択されたときに表示される表示情報が、操作キー６記憶領域１４４に記憶される。本実施形態の画像表示装置１は、メインメニューの表示中、操作キー７と操作キー８との操作指示は受け付けないように設定されている。そのため、操作キー７記憶領域１４５と操作キー８記憶領域１４６とには、「Ｎｕｌｌ」が記憶される。「Ｎｕｌｌ」は、関連表示情報が記憶されていないことを表す。本実施形態のコンピュータとステップＳ２０８とは、本発明の関連表示情報記憶ステップの一例である。
【００６９】
ステップＳ２０３では、表示情報一時記憶領域１５１にデータファイル選択操作の表示情報が記憶されているかが判定される。データファイル選択操作は、図８に示すような、データファイルを選択するときに表示される表示情報である。表示情報一時記憶領域１５１にデータファイル選択操作の表示情報が記憶されていると判定されたとき、ステップＳ２０４が実行される。表示情報一時記憶領域１５１にデータファイル選択操作の表示情報が記憶されていないと判定されたとき、ステップＳ２０５が実行される。
【００７０】
ステップＳ２０４では、データファイル選択操作に対応する表示情報が、関連表示情報として関連表示情報記憶領域１４１に記憶される。具体的には、図８に示す表示情報が表示されているとき、操作キー４〜操作キー６のいずれかの操作により、データファイル１〜データファイル３のいずれかが選択されたときに、電気泳動表示部３に次回表示される表示情報が記憶される。本実施形態では、データファイル選択操作を行うとき、操作キー７と操作キー８との操作に対応する表示情報は特にない。電気泳動表示部３に図８に示す表示情報が表示されているとき、図８に示す各データファイル「データファイル１」、「データファイル２」、「データファイル３」の１ページ目の表示情報が関連表示情報として記憶される。図８に示す表示情報が電気泳動表示部３により表示されていることは、表示情報記憶一時記憶領域１５１に図８に示す表示情報が記憶されているかにより判断される。本実施形態のコンピュータとステップＳ２０４とは、本発明の関連表示情報記憶ステップの一例である。
【００７１】
ステップＳ２０５では、表示情報一時記憶領域１５１に前後ページ切り替え操作に関する表示情報が記憶されているかが判定される。図９は、「データファイル１」の３ページ目の表示情報が表示されている概念図を示す。前後ページ切り替え操作に関する表示情報は、図９に示すデータファイルを構成するいずれかのページを表示する表示情報である。表示情報一時記憶領域１５１に前後ページ切り替え操作の表示情報が記憶されていると判定されたとき、ステップＳ２０６が実行される。表示情報一時記憶領域１５１に前後ページ切り替え操作の表示情報が記憶されていないと判定されたとき、関連表示情報記憶処理動作は終了される。
【００７２】
ステップＳ２０６では、前後ページ切り替え操作に対応する表示情報が、関連表示情報として関連表示情報記憶領域１４１に記憶される。例えば、図９に示す「データファイル１」の３ページ目が現在電気泳動表示部３に表示されているとき、上述の３ページ目に関連する関連表示情報が関連表示情報記憶領域１４１に記憶される。「データファイル１」の３ページ目の関連表示情報は、「データファイル１」の２ページ目と４ページ目との表示情報である。図９に示す表示情報が表示されているとき、操作キー７が操作されると、「データファイル１」の２ページ目が表示される。また、図９に示す表示情報が表示されているとき、操作キー８が操作されると、「データファイル１」の４ページ目が表示される。図９に示す「データファイル１」の３ページ目に関連する表示情報として、少なくとも２ページ目と４ページ目とが記憶されていれば良い。「データファイル１」の２ページ目の表示情報は、操作キー７記憶領域１４５に記憶される。「データファイル１」の４ページ目の表示情報は、操作キー８記憶領域１４６に記憶される。本実施形態の画像表示装置１は、データファイルの表示中、操作キー４〜操作キー６との操作指示は受け付けないように設定されている。そのため、操作キー４記憶領域１４２と操作キー５記憶領域１４３と操作キー６記憶領域１４４とには、「Ｎｕｌｌ」が記憶される。「データファイル１」の２ページ目と４ページ目との表示情報は、メモリーカード１２の表示情報記憶領域１２１に記憶されている。従って、「データファイル１」の２ページ目と４ページ目との表示情報がメモリーカード１２から読み出されて、関連表示情報記憶領域１４１の各記憶領域に記憶される。本実施形態のコンピュータとステップＳ２０６とは、本発明の関連表示情報記憶ステップの一例である。
【００７３】
（変形例１）
本実施形態の画像表示装置１の変形例１について説明する。本実施形態では、携帯型の表示装置が記載されている。変形例１では、携帯型の表示装置以外であっても良い。例えば、所定の場所に設置可能な表示装置であっても良い。その場合、表示装置に備えられたバッテリーではなく、コンセントを介して商用電源などの外部電源から電力が供給されても良い。
【００７４】
（変形例２）
本実施形態のフラッシュメモリー１４の変形例２について説明する。本実施形態では、関連表示情報記憶部としてフラッシュメモリー１４が用いられている。変形例２では、フラッシュメモリー以外の記憶部が用いられても良い。例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）が用いられても良い。フラッシュメモリーとＥＥＰＲＯＭとを比較すると、ＥＥＰＲＯＭは書き込める回数が制限されているため、フラッシュメモリーの方が本発明の関連表示情報記憶部として適している。
【００７５】
（変形例３）
本実施形態の電気泳動表示部３の変形例３について説明する。本実施形態では、不揮発性表示部として、電気泳動表示部３が用いられている。変形例３では、駆動電圧が供給されていないときに、表示されている表示情報を維持するメモリー効果を備える表示装置であれば、特に限定されない。電子粉粒体により構成される表示装置であっても良い。コレステリック液晶であっても良い。
【００７６】
（変形例４）
本実施形態の変形例４について説明する。本実施形態では、メモリーカード１２から表示情報が取得されている。変形例４では、画像表示装置に内蔵されたＨＤＤから表示情報が取得されても良い。また、図示はしないが、画像表示装置とインターネットを介して接続可能なサーバ装置から、表示情報が取得されても良い。
【００７７】
（変形例５）
本実施形態の操作キー４〜操作キー８の変形例５について説明する。本実施形態では、本発明の操作部として、操作キー４〜操作キー８が用いられている。変形例５として、操作キーの代わりにタッチパネルが用いられても良い。この場合、電気泳動表示部の図３に示す上方向にタッチパネルが備えられる。電気泳動表部に表示される表示情報が、タッチパネルにより触れられたかにより、表示情報が切り替えられる。
【００７８】
（変形例６）
本実施形態の電力制御部１９の変形例６について説明する。本実施形態では、電気泳動表示部３と、メモリーカードＩ／Ｆ１１と、ＲＯＭ１３と、フラッシュメモリー１４とＲＡＭ１５と、表示制御部１８とは、ＦＥＴスイッチを介して電圧変換部１９１と接続されている。変形例６では、少なくとも電気泳動表示部とＲＡＭとフラッシュメモリーとが、ＦＥＴスイッチを介して電圧変換部１９１と接続されていればよい。つまり、本実施形態のステップＳ１０９で、少なくとも電気泳動表示部とＲＡＭとフラッシュメモリーとへの電圧の供給が遮断されば良い。また、本実施形態のステップＳ１０１で、少なくとも電気泳動表示部とＲＡＭとフラッシュメモリーとを含む各種周辺機器へ電圧が供給されば良い。
【００７９】
（変形例７）
本実施形態のメイン動作のステップＳ１０２の変形例７について説明する。本実施形態では、ステップＳ１０２で、操作キー４記憶領域と操作キー５記憶領域と操作キー６記憶領域と操作キー７記憶領域と操作キー８記憶領域のいずれかに表示情報が記憶されているかにより、関連表示情報が記憶されているかが判定される。変形例７では、フラッシュメモリーの関連表示情報記憶領域の中で、ステップＳ１０９で操作された操作キーに対応する記憶領域に関連表示情報が記憶されているかが判定されても良い。つまり、操作キー情報一時記憶領域に記憶される操作キー情報に対応する関連表示情報が記憶されているかが判定される。変形例７のとき、関連表示情報が記憶されていないと判定された場合、ステップＳ１０３の代わりに、ステップＳ１０９で操作された操作キーに対応する表示情報が、メモリーカードから読み出される。ステップＳ１０９で操作された操作キーに対応する表示情報が、メモリーカードの表示情報記憶領域から読み出されてＲＡＭに一時記憶される。その後、ＲＡＭに一時記憶された表示情報を電気泳動表示部に表示させる指令が、電気泳動表示部へ供給される。供給された指令に基づいて、電気泳動表示部は所定の表示を行う。
【００８０】
（変形例８）
本実施形態のメイン動作のステップＳ１０６の変形例８について説明する。本実施形態では、ステップＳ１０５の次にステップＳ１０６が実行されている。変形例８では、ステップＳ１０６は、ステップＳ１０５の次に実行されなくても良い。メイン動作のステップＳ１０８が実行される前に、ステップＳ１０６が実行されて関連表示情報がフラッシュメモリーに記憶されていれば良い。
【符号の説明】
【００８１】
１  画像表示装置
２  電源スイッチ
３  電気泳動表示部
４、５、６、７、８  操作キー
１０  ＣＰＵ
１１  メモリーカードインタフェース
１２  メモリーカード
１３  ＲＯＭ
１４  フラッシュメモリー
１５  ＲＡＭ
１６  バッテリー
１８  表示制御部
１９  電力制御部
２１  画素空間
３３ａ、３３ｂ  帯電粒子
３４  分散媒
３５  画素空間
４０  マスク部
５０  下部基板
５１  下部電極保護膜
５２  下部電極
５３  筐体支持部
６０  上部基板
６１  上部電極保護膜
６２  上部電極
６３  表示層
７０  表示部
７１  隔壁
１０１  タイマー
１２１  表示情報記憶領域
１３１  メインプログラム記憶領域
１３２  関連表示情報記憶処理プログラム記憶領域
１３３  メインメニュー表示情報記憶領域
１４１  関連表示情報記憶領域
１４２  操作キー４記憶領域
１４３  操作キー５記憶領域
１４４  操作キー６記憶領域
１４５  操作キー７記憶領域
１４６  操作キー８記憶領域
１５１  表示情報一時記憶領域
１５２  操作キー情報一時記憶領域
１８１  駆動電圧発生部
１８２  電圧印加制御部
１９１  電圧変換部
１９２  スイッチ切替部
【図１】
2010231039.tif 000003
【図２】
2010231039.tif 000004
【図３】
2010231039.tif 000005
【図４】
2010231039.tif 000006
【図５】
2010231039.tif 000007
【図６】
2010231039.tif 000008
【図７】
2010231039.tif 000009
【図８】
2010231039.tif 000010
【図９】
2010231039.tif 000011